(57)【要約】【課題】スイッチ入力を行う可動部材に対する弾性部材による操作荷重に対する反力及びニュートラル位置に戻す力を段階的に変化させるとともに、回転角度も増やすことができるようにする。【解決手段】動作過程でスイッチ入力を行う可動の可動部材６と、操作により可動部材６が動作して段階的に複数個所で接触する弾性部材８と、を備える。さらに、可動部材６に一体的に設けられる操作部材５を備える。具体的には、可動部材６は、弾性部材８に対し先に接触する第１接触部６１と、後から接触する第２接触部６２と、を備える。また、弾性部材８は、可動部材６が先に接触する第１動作部８１と、後から接触する第２動作部８２と、を備える。【選択図】図９
2010192370.tif 000002
【特許請求の範囲】
【請求項１】
動作過程でスイッチ入力を行う可動の可動部材と、
操作により前記可動部材が動作して段階的に複数個所で接触する弾性部材と、を備えることを特徴とするスイッチ装置。
【請求項２】
前記可動部材に一体的に設けられる操作部材を備えることを特徴とする請求項１に記載のスイッチ装置。
【請求項３】
前記可動部材は、前記弾性部材に対し先に接触する第１接触部と、後から接触する第２接触部と、を備えることを特徴とする請求項１または２に記載のスイッチ装置。
【請求項４】
前記弾性部材は、前記可動部材が先に接触する第１動作部と、後から接触する第２動作部と、を備えることを特徴とする請求項１から３のいずれか一項に記載のスイッチ装置。
【請求項５】
前記可動部材は、回転自在で、その回転動作面に突出する前記第１接触部及び第２接触部を備え、
前記弾性部材は、前記可動部材の回転動作面に突出する前記第１接触部及び第２接触部が順次接触する前記第１動作部及び第２動作部を平行に備えることを特徴とする請求項４に記載のスイッチ装置。
【請求項６】
ケース本体に、請求項１から５のいずれか一項に記載のスイッチ装置を備えることを特徴とする電子機器。
【発明の詳細な説明】
【技術分野】
【０００１】
本発明は、スイッチ入力を行う可動部材に対し弾性部材による操作荷重に対する反力及びニュートラル位置に戻す力を作用させるスイッチ装置と、そのスイッチ装置を備える電子機器に関する。
【背景技術】
【０００２】
カメラのズームスイッチとして特許文献１に、シャッターボタンの外側に位置するズームレバーを設け、そのズームレバーと一体的に回動するスイッチ板を設けるとともに、ケースパネル内の２本の突出部にコイル部がそれぞれ支持された金属線材からなるバネ部材を設け、そのバネ部材の２個のコイル部から平行する２本のバネ動作部の間に、スイッチ板に設けた突出摺動部を配置した構成のものが開示されている。
【０００３】
このズームスイッチは、ズーム操作時に指でズームレバーを回転させ、ある角度で止まるよう設定されている。そして、ズームレバーの回転時において、バネ部材は、ケースパネル内の２本の突出部にそれぞれ支持された２個のコイル部から平行する２本のバネ動作部の片方が、スイッチ板の突出摺動部との当接により弾性変形して操作荷重に対する反力となり、残る片方のバネ動作部はフリーの状態となっている。
【０００４】
このように、従来のズームレバーでは、ニュートラル位置に戻そうとする力は、バネ部材の２個のコイル部から平行する２本のバネ動作部の片方だけで行っており、残る片方のバネ動作部には負荷をかけないようにして回転角度が制限されている。
【先行技術文献】
【特許文献】
【０００５】
【特許文献１】特開２００５−２０６５８号公報
【発明の概要】
【発明が解決しようとする課題】
【０００６】
しかし、従来のズームレバーは、ケースパネル内の２本の突出部にそれぞれ支持された２個のコイル部から平行する２本のバネ動作部の片方のみが、スイッチ板の突出摺動部との当接により弾性変形して操作荷重に対する反力となって、且つ、ニュートラル位置に戻す力となっており、いずれも一様な荷重が作用するだけで、回転角度も制限を受けていた。
【０００７】
本発明の課題は、スイッチ入力を行う可動部材に対する弾性部材による操作荷重に対する反力及びニュートラル位置に戻す力を段階的に変化させるとともに、回転角度も増やすことができるようにすることである。
【課題を解決するための手段】
【０００８】
以上の課題を解決するため、請求項１に記載の発明は、動作過程でスイッチ入力を行う可動の可動部材と、操作により前記可動部材が動作して段階的に複数個所で接触する弾性部材と、を備えるスイッチ装置を特徴とする。
【０００９】
請求項２に記載の発明は、請求項１に記載のスイッチ装置であって、前記可動部材に一体的に設けられる操作部材を備えることを特徴とする。
【００１０】
請求項３に記載の発明は、請求項１または２に記載のスイッチ装置であって、前記可動部材は、前記弾性部材に対し先に接触する第１接触部と、後から接触する第２接触部と、を備えることを特徴とする。
【００１１】
請求項４に記載の発明は、請求項１から３のいずれか一項に記載のスイッチ装置であって、前記弾性部材は、前記可動部材が先に接触する第１動作部と、後から接触する第２動作部と、を備えることを特徴とする。
【００１２】
請求項５に記載の発明は、請求項４に記載のスイッチ装置であって、前記可動部材は、回転自在で、その回転動作面に突出する前記第１接触部及び第２接触部を備え、前記弾性部材は、前記可動部材の回転動作面に突出する前記第１接触部及び第２接触部が順次接触する前記第１動作部及び第２動作部を平行に備えることを特徴とする。
【００１３】
請求項６に記載の発明は、ケース本体に、請求項１から５のいずれか一項に記載のスイッチ装置を備える電子機器を特徴とする。
【発明の効果】
【００１４】
本発明によれば、スイッチ入力を行う可動部材に対する弾性部材による操作荷重に対する反力及びニュートラル位置に戻す力を段階的に変化させるとともに、回転角度も増やすことができる。
【図面の簡単な説明】
【００１５】
【図１】本発明を適用した電子機器の一実施形態の構成を示すもので、カメラの外観を示した斜視図である。
【図２】図１のズームレバー部の構成を示した斜視図である。
【図３】図２のズームレバー部の裏面側を示した斜視図である。
【図４】図３の可動部材及び金属板と弾性部材を外した状態を示した図である。
【図５】図３の金属板を外してニュートラル状態を示した下面図である。
【図６】図５の状態の斜視図である。
【図７】図５の状態から可動部材の動作時を示した下面図である。
【図８】図７の状態の斜視図である。
【図９】図７の状態から可動部材の更なる動作状態を示した下面図である。
【図１０】図９の状態の斜視図である。
【発明を実施するための形態】
【００１６】
以下、図を参照して本発明を実施するための形態を詳細に説明する。
（実施形態）
図１は本発明を適用した電子機器の一実施形態の構成としてデジタルカメラの外観を示したもので、１はカメラ本体、２はズームレンズ部、３はベースパネル、４はシャッターボタン、５はズームレバー（操作部材）、６は可動部材である。
【００１７】
図示のように、カメラ本体１の前面に沈胴式のズームレンズ部２が備えられ、カメラ本体１の上面にはベースパネル３が備えられ、ベースパネル３の一端側にシャッターボタン４とその下にズームレバー５が備えられている。このズームレバー５を左右に回動操作することでズームレンズ部２が広角方向と望遠方向とに切替制御動作される。
【００１８】
図２はそのズームレバー部の構成を示したもの、図３は同じくズームレバー部の裏面側を示したもの、図４はそのベースパネル３のみを示したものであり、７は金属板、８はバネ部材（弾性部材）である。
【００１９】
ズームレバー５は、図示のように、ベースパネル３に形成した円孔３１に対し回転自在に組み込まれた可動部材６と一体に形成した操作部材である。可動部材６の下面には金属板７がネジ止めにより固定され、可動部材６は金属板７により円孔３１に下面から抜け止めしてベースパネル３に対し回転自在に組み付けられている。なお、シャッターボタン４は可動部材６の中心を貫通して押し込み操作可能に組み付けられている。
【００２０】
可動部材６の下面には、一対の第１接触部６１とその間に位置する第２接触部６２とが凸部により形成されていて、これら第１接触部６１及び第２接触部６２は金属板７から下方にまで突出している。
【００２１】
そして、ベースパネル３の下面には金属線材からなる弾性を具備するバネ部材８が取り付けられている。このバネ部材８の平行する一対の第１動作部８１及び第２動作部８２の先端部は、可動部材６と金属板７との間に形成される隙間に挿入されている。
【００２２】
すなわち、バネ部材８は、一対のねじりコイル部８３から平行する第１動作部８１及び第２動作部８２を備え、両ねじりコイル部８３間が連続部８４により一体のコ字型形状をなしている。
【００２３】
また、ベース部材３の下面には、円孔３１の一側部に一対の取付ボス部３２が形成されて、両取付ボス部３２の外側から円孔３１に向かって平行する段差によるガイド部３３が形成されている。このガイド部３３から円孔３１に向かって外側に徐々に開くような傾斜面３４が形成されている。両取付ボス部３２間の円孔３１と反対側にはピン３５が形成されている。
【００２４】
以上のベース部材３の下面において、一対の取付ボス部３２にバネ部材８の一対のねじりコイル部８３をそれぞれ装着し、平行する段差によるガイド部３３に平行する第１動作部８１及び第２動作部８２をそれぞれ当接させて組み付ける。なお、両ねじりコイル部８３間の連続部８４がピン３５に当接している。
【００２５】
図５及び図６は図３の金属板７を外してニュートラル状態を示したもので、図示のように、バネ部材８の平行する一対の第１動作部８１及び第２動作部８２の先端部には、可動部材６の下面に設けた一対の凸部による第１接触部６１がそれぞれ外側から当接している。従って、可動部材６に一体のズームレバー５は、バネ部材８によってニュートラル位置に保持されている。
【００２６】
ニュートラル状態からズームレバー５を図中時計回りに回動操作すると、図７及び図８に示すように、図示下側の第１接触部６１が先に第１動作部８１をねじりコイル部８３でねじり変形させる。この第１動作部８１のねじり変形によって、ズームレバー５の操作荷重に対する反力を発生する。
【００２７】
さらに、ズームレバー５を図中時計回りに回動操作すると、図９及び図１０に示すように、図示下側の第１接触部６１が第１動作部８１をねじりコイル部８３でさらにねじり変形させると同時に、第２接触部６２が後から第２動作部８２をねじりコイル部８３でねじり変形させる。従って、第１動作部８１及び第２動作部８２のねじり変形によって、ズームレバー５の操作荷重に対する反力が増大する。
【００２８】
なお、第２動作部８２が図示上側の傾斜面３４に当接した時点で回動を終える。
【００２９】
また、ニュートラル状態からズームレバー５を図中反時計回りに回動操作する場合は、図示上側の第１接触部６１が先に第２動作部８２をねじり変形させて、第２接触部６２が後から第１動作部８１をねじり変形させる。
【００３０】
以上において、ズームレバー５の回動操作による可動部材６の回動変化、例えば金属板７の回動変化等に基づいて、図示しないズーム用の２接点のスイッチが連動し、ズームレンズ部２が広角方向と望遠方向とに切替制御動作される。
【００３１】
以上、実施形態のデジタルカメラのズームレバー５によれば、スイッチ入力を行う可動部材６が動作すると、バネ部材８に段階的に複数個所で接触するので、可動部材６に対するバネ部材８による操作荷重に対する反力及びニュートラル位置に戻す力を段階的に変化させるとともに、回転角度も増やすことができる。
【００３２】
すなわち、可動部材６が、バネ部材８に対し先に接触する第１接触部６１、及び後から接触する第２接触部６２を備え、バネ部材８が、可動部材６に対し先に接触する第１動作部８１、及び後から接触する第２動作部８２を備えるため、可動部材６に対するバネ部材８による操作荷重に対する反力を、途中まで軽く回せて、途中からは重くなるよう２段階に変化させることができる。
【００３３】
同様に、ニュートラル位置に戻す力を、途中まで回した場合は軽い力で、大きく回した場合には大きな力で戻すよう２段階に変化させることができる。
【００３４】
しかも、バネ部材８が、可動部材６に対し先に接触する第１動作部８１に加えて、後から接触する第２動作部８２を備え、その第２動作部８２がガイド部３３から逃げるように開いた傾斜面３４に当接するまで可動部材６を回動できるため、従来と比べて可動部材６の回転角度も増やすことができる。
【００３５】
（変形例）
なお、以上の実施形態においては、カメラとしたが、本発明はこれに限定されるものではなく、カメラを備える携帯電話などの機器であってもよい。
また、実施形態では、ズームスイッチとしたが、他の機能のスイッチであってもよい。
さらに、実施形態のような回転動作式のスイッチに限らず、スライド動作式のスイッチや、押しボタン式のスイッチ、その他、操作ストロークを有するスイッチであってもよい。
【００３６】
また、実施形態では、可動部材に対する弾性部材による操作荷重に対する反力及びニュートラル位置に戻す力を２段階に変化させるものとしたが、形状変形等により３段階以上に変化させるようにしてもよい。
さらに、可動部材及び操作部材の形状や弾性部材の種類及び形状等も任意であり、その他、具体的な細部構造等についても適宜に変更可能であることは勿論である。
【符号の説明】
【００３７】
１  カメラ本体
２  ズームレンズ部
３  ベースパネル
３１  円孔
３２  取付ボス部
３３  ガイド部
３４  傾斜面
３５  ピン
４  シャッターボタン
５  操作部材
６  可動部材
６１  第１接触部
６２  第２接触部
７  金属板
８  弾性部材
８１  第１動作部
８２  第２動作部
８３  ねじりコイル部
８４  連続部
【図１】
2010192370.tif 000003
【図２】
2010192370.tif 000004
【図３】
2010192370.tif 000005
【図４】
2010192370.tif 000006
【図５】
2010192370.tif 000007
【図６】
2010192370.tif 000008
【図７】
2010192370.tif 000009
【図８】
2010192370.tif 000010
【図９】
2010192370.tif 000011
【図１０】
2010192370.tif 000012